(57)【要約】  【課題】  先端の掛け針を跳ね上げるイカ釣り用ヤエンにおいて、重力による動作よりも早く掛け針を跳ね上げるようにすることを課題とする。  【解決手段】  イカ釣り用ヤエンにおいて、道糸を通すためのリングが固定される棒状体である主杆と、前記主杆の先端側に摺動可能に固定される掛け針である摺動針と、前記主杆の先端に、前記摺動針の存する方向に回動可能に一端側を固定され、他端側に前記回動方向に向かう掛け針を有する回動杆と、回動杆の途中に設けられる、前記摺動針の存する方向とは逆の方向に存する突起であるレバー体と、前記レバー体と前記摺動針を連結する連結杆とを設け、摺動針にイカかが掛かって摺動針が移動すると、連結杆とレバー体とにより回動杆がイカに向かって跳ね上がるように構成する。【選択図】  図１
2006042660.tif 000002
【特許請求の範囲】
【請求項１】
道糸を通すためのリングが固定される棒状体である主杆と、
前記主杆の先端側に摺動可能に固定される掛け針である摺動針と、
前記主杆の先端に、前記摺動針の存する方向に回動可能に一端側を固定され、他端側に前記回動方向に向かう掛け針を有する回動杆と、
回動杆の途中に設けられる、前記摺動針の存する方向とは逆の方向に存する突起であるレバー体と、
前記レバー体と前記摺動針を連結する連結杆と
を有するイカ釣り用ヤエン。
【請求項２】
前記回動杆は線材をU字状に折り曲げたものであり、前記他端側はU字状に折り曲げた線材の開放端側である請求項１に記載のイカ釣り用ヤエン。
【請求項３】
前記レバー体は、線材をU字状に折り曲げたものであって、U字状に折り曲げた線材の開放端側が前記回動杆の途中に固定され、
前記連結杆は前記レバー体のU字状に折り曲げた線材の中央部に回動可能に固定される請求項２に記載のイカ釣り用ヤエン。
【請求項４】
前記主杆は途中で分断されており、分断された一方の先端は、分断された他方の先端から一定長さをおいた位置に回動可能に固定されるとともに、前記一方の先端近傍と、前記他方の先端近傍は、前記一定長さ分重なった状態において、両者に嵌合するパイプによって固定される
請求項１から３のいずれか１項に記載のイカ釣り用ヤエン。
【請求項５】
前記パイプは前記一方側に固定される圧縮バネによって前記他方側に押されるとともに、この圧縮バネが圧縮された状態において両先端近傍に対する嵌合が解除される
請求項４に記載のイカ釣り用ヤエン。
【発明の詳細な説明】
【技術分野】
【０００１】
本発明はイカのヤエン釣りに用いるヤエンに関する。
【背景技術】
【０００２】
イカを釣る方法の一つにヤエン釣りがある。これは、道糸にアジなどのえさをつけておき、イカがこれを捕まえたときに、傘状もしくは半傘状に形成された掛け針を複数つけたヤエンを道糸に沿って滑らせて、このヤエンにイカを引っ掛けて吊上げる釣り方である。
このヤエン釣りの釣果は、ヤエンの形状に負うところが大きく種々のヤエンが提案されている。例えば、下記特許文献１には、ヤエンを道糸から滑らせ餌に当たると、ヤエンの先端に設けた掛け針が跳ね上がりこれによりイカに掛け針が食い込む仕組みが示されている。このように、ヤエンの先端がイカに向かって跳ね上がる仕組みはイカを捕らえるという点において好ましい。
【特許文献１】特開２００２−３２０４３３号公報
【発明の開示】
【発明が解決しようとする課題】
【０００３】
しかし、上記特許文献１に代表される仕組みは、重力を利用してヤエンの先端を跳ね上げるものであり、水中ではどうしても動きが遅くなってしまい、イカを取り逃がすことも多かった。
そこで、本発明は先端の掛け針を跳ね上げるヤエンにおいて、重力による動作よりも早く掛け針を跳ね上げるようにすることを課題とする。
【課題を解決するための手段】
【０００４】
上記課題を解決するために、本発明は次のような構成を有する。
請求項１に記載の発明は、道糸を通すためのリングが固定される棒状体である主杆と、前記主杆の先端側に摺動可能に固定される掛け針である摺動針と、前記主杆の先端に、前記摺動針の存する方向に回動可能に一端側を固定され、他端側に前記回動方向に向かう掛け針を有する回動杆と、回動杆の途中に設けられる、前記摺動針の存する方向とは逆の方向に存する突起であるレバー体と、前記レバー体と前記摺動針を連結する連結杆とを有するイカ釣り用ヤエンである。
請求項２に記載の発明は、前記イカ釣り用ヤエンにおいて、前記回動杆は線材をU字状に折り曲げたものであり、前記他端側をU字状に折り曲げた線材の開放端側としたものである。
請求項３に記載の発明は、請求項２に記載のイカ釣り用ヤエンにおいて、前記レバー体は、線材をU字状に折り曲げたものであって、U字状に折り曲げた線材の開放端側が前記回動杆の途中に固定され、前記連結杆は前記レバー体のU字状に折り曲げた線材の中央部に回動可能に固定されるものである。
請求項４に記載の発明は、前記イカ釣り用ヤエンにおいて、前記主杆は途中で分断されており、分断された一方の先端は、他方の先端から一定長さをおいた位置に回動可能に固定されるとともに、前記一方の先端近傍と、前記他方の先端近傍は、前記一定長さ分重なった状態において、両者に嵌合するパイプによって固定されるものである。
請求項５に記載の発明は、請求項４に記載のイカ釣り用ヤエンにおいて、前記パイプは前記一方側に固定される圧縮バネによって前記他方側に押されるとともに、この圧縮バネが圧縮された状態において両先端近傍に対する嵌合が解除されるものである。
【発明の効果】
【０００５】
請求項１に記載の発明は、イカが摺動針に引っ掛かり逃げようとすると摺動針が主杆の先端側へ移動する。これにより摺動針に連結杆により連結されたレバー体が押され、回動杆がイカの方へ跳ね上がる。すなわち、イカの逃げようとする力によって掛け針のついた回動杆が跳ね上がるので、重力で跳ね上げる場合に比較して早く掛け針を跳ね上げることができる。
請求項２に記載の発明は、U字状に曲げた線材の２つの開放端側に掛け針が設けられ、中央部が主杆の先端と回動可能に固定されることになるので、回動部分の線材の方向もしくは接線方向が回動の中心軸方向と一致するので回動部分の構造を簡単にすることができる。
請求項３に記載の発明は、レバー体がU字に折り曲げた線材で構成されるとともに、屈曲した中央部で連結杆と回動可能に固定されるので、レバー体自体を簡易に構成できることに加えて、やはり、回動部分の線材の方向もしくは接線方向が回動の中心軸方向と一致するので連結部分の構造を簡単にすることができる。
請求項４に記載の発明は、嵌合しているパイプを前記一方側へスライドさせて嵌合を解くことで、主杆を折り曲げることができ、ヤエンの持ち運びの際にヤエンを小さくすることができる。
請求項５に記載の発明は、前記圧縮バネにより前記パイプが押圧されることで、ヤエンの使用中に前記パイプの嵌合が解かれることを防ぐことができる。
【発明を実施するための最良の形態】
【０００６】
以下、本発明の実施の形態について、図面を参照しながら説明する。
図１に本実施の形態に係るイカ釣り用ヤエンの斜視図を示す。
本イカ釣り用ヤエンは、ほぼ直線状に伸びる線材により形成される主杆１と、主杆１の先端に回動自在に設けられるU字状の線材により形成される回動杆２と、主杆１の先端近傍に摺動可能に設けられる摺動針３と、回動杆２の下方に設けられるU字状の線材により形成されるレバー体４と、レバー体４と摺動針３とを連結する連結杆５とを有する。
主杆１は、途中で分断されており針の付いた先端側部材１ａと、後端側部材１ｂとに分かれる。先端側部材１ａの先端は折り曲げられて形成されたリング部１９が形成され、このリング部１９は回動杆２の屈曲した中央部２１を回動可能に支持している。先端側部材１ａの後端も折り曲げられて形成されたリング部１６が形成されている。先端側部材１ａの後端近傍には圧縮バネ１７が先端側に設けられるバネ止め１７ｂを介して固定されている。この圧縮バネ１７は嵌合パイプ１８を後端側へ押圧している。後端側部材１ｂの先端から一定長さｄをおいた位置には折り曲げられて形成されたリング部１５が形成され、先端側部材１ａのリング部１６と係合している。この状態で、先端側部材１ａの後端近傍と、後端側部材１ｂの先端側近傍は長さｄだけ重なった状態となる。この状態で、嵌合パイプ１８が重なった状態の両者に嵌合し、これらを固定している。後端側部材１ｂの後端はほぼ垂直に折り曲げられて垂直部１１ｂが形成され、さらに垂直部１１ｂの先端は主杆１の長手方向に平行方向に向かうようにコイル状に巻かれた道糸を通すリング１１ａが形成される。また、後端側部材１ｂの途中には、同様に先端をコイル状に巻かれた道糸を通すリング１２ａが形成された線材である垂直部材１２ｂが溶接にて垂直に固定されている。垂直部材１２ｂと垂直部１１ｂの間に位置する後端側部材１ｂのやや後端寄りに鉛で形成された錘１３が固定されている。
回動杆２はＵ字状に形成された両開放端である先端側に半傘状に開いた掛け針２ａが上を向くように設けられ、Ｕ字の中央で主杆１の先端側部材１ａ先端に形成されるリング部１９により掛け針２ａが上方に移動するように回動可能に支持されている。すなわち掛け針２ａは回動方向を向かうように固定されていることになる。また、回動杆２はU字の底が真直ぐになるように折り曲げられており、この中央部でリング部１９を挟むようにリング部１９のずれを防止する止め輪２ｂが設けられている。
摺動針３は主杆１の先端側部材１ａに通される筒状の本体３ｂと、本体３ｂの上方側に固定される２つの半傘状に開いた掛け針３ａとから形成される。
レバー体４は、Ｕ字状に形成された両開放端側を溶接にて回動杆２に下垂するように固定されている。すなわち、レバー体４は各掛け針の存する方向とは逆の方向に存する突起を形成している。
連結杆５は、線材により構成され、先端に折り曲げて形成されたリング部５１がレバー体４の中央の屈曲部４１を回動可能に支持する。後端側は摺動針３の本体３ｂに固定される。なお、ここでは連結杆５と摺動針３とは完全に固定しているが、連結杆５を摺動針３とは回動可能に連結することもできる。また、回動杆２の回動を可能にするために、ここではリング部５１にはある程度の余裕を持たせている。
次に、以上のような構成を有するイカ釣り用ヤエンの動作について説明する。
図２（ａ）（ｂ）に本イカ釣り用ヤエンの先端側の動作を示す側面図を示す。なお、図ではわかりやすいように止め輪２ｂは省略している。まず最初に、餌にあたりがあってイカ釣り用ヤエンをイカに向かって滑らせたとする。ここで、イカはイカ釣り用ヤエンに触れると驚いてイカ釣り用ヤエンの先端歩行へ逃げようとする。この際、摺動針３の掛け針３ａにイカが引っかかると、摺動針３はイカに引かれて先端側へ移動する。摺動針３が先端側へ移動すると、摺動針３に連結杆５により連結されたレバー体４の下端が先端側へ押される。そうすると、レバー体の上端に固定された回動杆２がＵ字状の中央部２１を中心に上方へ回動する。この回動により、回動杆２の先端に設けられた掛け針２ａがイカに食い込むことになり、イカを捕まえることができる。回動杆２の回動の動きはイカの動きと連動しているので、イカがすばやく動いてもその動きと同じ程度の速さで回動杆２は動きイカは高い確率で回動杆２の掛け針２ａに引っかかることとなる。
図３（ａ）〜（ｃ）に本イカ釣り用ヤエンの折りたたみ部分の動作を示す側面図を示す。図３（ａ）は使用時の折りたたみ部分の状態を示している。この状態から、使用者は嵌合パイプ１８を先端側へ移動させる。嵌合パイプ１８の長さは圧縮バネが圧縮した状態で、後端側部材１ｂの先端から抜けるように設定されているので、図３（ｂ）に示すように、嵌合パイプ１８による嵌合が解かれることになる。この状態から、図３（ｃ）に示すように先端側部材１ａを後端側部材１ｂに重なるように折り曲げると本イカ釣り用ヤエンを折りたたむことができる。なお、折りたたんだ状態から使用状態とする場合は、上記と逆の動作を行えば足りる。
【図面の簡単な説明】
【０００７】
【図１】実施の形態に係るイカ釣り用ヤエンを示す斜視図である。
【図２】（ａ）（ｂ）は本イカ釣り用ヤエンの先端側の動作を示す側面図である。
【図３】（ａ）〜（ｃ）は本イカ釣り用ヤエンの折りたたみ部分の動作を示す側面図である。
【符号の説明】
【０００８】
１  主杆
１１ａ、１２ａ  リング
１７  圧縮バネ
２  回動杆
３  摺動針
４  レバー体
５  連結杆
【図１】
2006042660.tif 000003
【図２】
2006042660.tif 000004
【図３】
2006042660.tif 000005